(57)【要約】      （修正有）【課題】送話部用孔部Ｈｍ及びＰｍから筐体内部に水が侵入するという問題を解決することを可能とした電子機器を提供する。【解決手段】電子機器は、一方筐体の内部に設けられたマイクと、このマイクに対応する位置であって、一方筐体に設けられた第1の孔部と、この第1の孔部に対応する位置に設けた第２の孔部を有する緩衝部材を一方筐体の正面に配設しており、第1の孔部に対応する位置であって、一方筐体の正面と緩衝部材との間に防水用シートを挟みこんで配設する。【選択図】図５
2010081257.tif 000002
【特許請求の範囲】
【請求項１】
一方筐体および他方筐体と、この一方筐体と他方筐体との間に介在するヒンジ部とを備え、このヒンジ部を介し開閉軸を中心として開閉自在に連結して成る電子機器において、
前記一方筐体の内部に設けられたマイクと、
このマイクに対応する位置であって、前記一方筐体に設けられた第1の孔部と、
この第1の孔部に対応する位置に設けた第２の孔部を有する緩衝部材を前記一方筐体の正
面に配設しており、
前記第1の孔部に対応する位置であって、前記一方筐体の正面と前記緩衝部材との間に防
水用シートを挟みこんで配設したことを特徴とする電子機器。
【請求項２】
前記防水用シートは、前記一方筐体と緩衝部材とを貼り付ける両面接着部材によって前記緩衝部材に当接されていることを特徴とする請求項１に記載の電子機器。
【発明の詳細な説明】
【技術分野】
【０００１】
本発明は、一方筐体および他方筐体と、前記一方筐体と前記他方筐体との間に介在する連結体とを備え、前記一方筐体と前記他方筐体とを、前記連結体を介し開閉軸を中心として開閉自在に連結して成る電子機器に関するものである。
【背景技術】
【０００２】
例えば、電子機器の一例である携帯電話機には、使用時における使い易さと携帯時のコンパクト化とを両立させ、さらに多様な使用形態を実現することを目的として、正面に操作部を有する一方筐体と、正面に表示部を有する他方筐体とを、ヒンジ機構を用いて互いに開閉自在に連結して成る折畳み式の携帯電話機が提供されている(例えば、特許文献１
参照)。
【０００３】
図１〜図２に示す如く、上述した折畳み式の携帯電話機Ａは、本体を構成する下筐体(
一方筐体)Ｂと、蓋体を構成する上筐体(他方筐体)Ｃとを備えており、下筐体Ｂの正面Ｂ
ｆには、複数の操作キーを備えた操作部Ｂａと送話部Ｂｍとが設けられている一方、上筐体Ｃの正面Ｃｆには、大型の液晶表示画面Ｃｄとともに受話部Ｃｒが設けられている。
【０００４】
上述した下筐体Ｂと上筐体Ｃとは、図１に矢印Ｆで示す如く開閉軸ｘを中心として開閉自在に連結されている。
【０００５】
これにより、上記携帯電話機Ａは、下筐体Ｂの正面Ｂｆと上筐体Ｃの正面Ｃｆとを相対向させて閉じたクローズポジションと、該クローズポジションから下筐体Ｂに対して上筐体Ｃを所定の姿勢角で開いたオープンポジションとを取ることができる。
【０００６】
また、一方筐体と他方筐体とを閉じた際に、両者の間に所定のクリアランス(間隙)を形成するための、クリアランスキーパ（特許文献１においては、突起部１１）を備えて成る折畳み式の携帯電話機が、従来より数多く提供されている。
【０００７】
すなわち、図１〜図２に示した折畳み式の携帯電話機Ａにおいては、下筐体Ｂの正面ＢｆにクリアランスキーパＱ、Ｑを設けており、このクリアランスキーパＱ、Ｑに上筐体Ｃの正面Ｃｆを当接させることで、図２(ｂ)に示すクローズポジションにおいて、下筐体Ｂの正面Ｂｆと上筐体Ｃの正面Ｃｆとの間に所定のクリアランスｇを形成する。
【特許文献１】特開２００４−１２８８１４号公報
【発明の開示】
【発明が解決しようとする課題】
【０００８】
ところで、上述した如き折り畳み式の携帯電話機Ａにおいて、通話時のユーザの発声を集音する送話部ＢｍをこのクリアランスキーパＱで覆う構造をとるものがある。この場合、送話部Ｂｍの構造は、図３〜図４に示す構造となっていた。下筐体Ｂに内蔵されたマイクＨ、下筐体Ｂの正面ＢｆであってこのマイクＨに対応する位置に設けられた送話部用孔部Ｈｍ、クリアランスキーパP及びこのクリアランスキーパＰであってこの送話部用孔部
Ｈｍに対応する位置に設けられた送話部用孔部Ｐｍからなる。この送話部用孔部Ｈｍ及びＰｍから水が浸入し、マイクＨないし携帯電話機Ａの品質に影響を及ぼすという問題があった。
【０００９】
本発明は上述した実状に鑑みて、送話部用孔部Ｈｍ及びＰｍから筐体内部に水が侵入するという問題を解決することを可能とした電子機器の提供を目的とするものである。
【課題を解決するための手段】
【００１０】
上記目的を達成するべく、本発明に関わる電子機器は、一方筐体および他方筐体と、この一方筐体と他方筐体との間に介在するヒンジ部とを備え、このヒンジ部を介し開閉軸を中心として開閉自在に連結して成る電子機器において、前記一方筐体の内部に設けられたマイクと、このマイクに対応する位置であって、前記一方筐体に設けられた第1の孔部と
、この第1の孔部に対応する位置に設けた第２の孔部を有する緩衝部材を前記一方筐体の
正面に配設しており、前記第1の孔部に対応する位置であって、前記一方筐体の正面と前
記緩衝部材との間に防水用シートを挟みこんで配設したことを特徴としている。
【発明の効果】
【００１１】
本発明に関わる電子機器によれば、筐体内部への水の侵入を軽減することができる。
【発明を実施するための最良の形態】
【００１２】
以下、実施例１を示す図面に基づいて、本発明を詳細に説明する。  
図５〜図７は、本発明を電子機器の一態様である携帯電話機に適用した実施例１を示しており、この折り畳み式の携帯電話機１は、本体を構成する下筐体(一方筐体)１と、蓋体を構成する上筐体(他方筐体、図示せず)とを備えている。
【００１３】
上記下筐体１の正面１１には、複数の操作キーを備えた操作部と送話部用孔部１２とが設けられている一方、上筐体の正面には、大型の液晶表示画面とともに受話部が設けられている。
【００１４】
これにより、上記携帯電話機１は、下筐体１の正面１１と上筐体の正面とを相対向させて閉じたクローズポジション(図２(ｂ)参照)と、該クローズポジションから下筐体１に対して上筐体を所定の姿勢角で開いたオープンポジション（図２（ａ））とを取ることができる。
【００１５】
図５〜図７に示す如く、上記携帯電話機１における下筐体１の正面１１には、その自由端部側における送話部用孔部１２に近接した位置にクリアランスキーパ３が取り付けられている。
【００１６】
上記クリアランスキーパ３は、下筐体１の幅方向に延在する板状の部材であって、クッション性を備えたエラストマ等の適宜な材料を用いて製造されている。
【００１７】
また、上記クリアランスキーパ３は、送話部用孔部１２に対応する位置に孔部３１を形成するとともに、下筐体１の正面１１に貼り付けるための両面テープ４が付着されている。両面テープ４にも、送話部用孔部１２に対応する位置に孔部４１が形成されている。
【００１８】
一方、防水用シート５は、送話部２に水が浸入しないために、送話部用孔部１２に対応する位置に孔部を設けてはいない。この防水シート５には、下筐体１の正面１１に密着して貼り付けるための両面テープ６が付着されている。両面テープ６にも、送話部用孔部１２に対応する位置に孔部６１が形成されている。防水用シート５は、撥水加工が施された布状のシートで、ポリエステル等の適宜な材料を用い、厚さ０．０５〜０．２ｍｍ位で製造されている。両面テープ４及び６は、厚さ０．０５〜０．２ｍｍ位で製造されている。
【００１９】
このように構成されたクリアランスキーパ３及び防水用シート５を下筐体１の正面１１に貼り付ける。防水用シート５が送話部用孔部１２を塞ぐので、送話部用孔部１２から水が浸入するのを軽減することができる。
【００２０】
図８は、他の実施例２である。この実施例では、防水用シートをクリアランスキーパ３と両面テープ４の間に挟んだものである。先述の実施例１に比べると、両面テープ６を省略することができる点で、部品点数を削減するとともに、より薄型化を達成できるメリットがある。防水用シート５と下筐体１の正面１１との密着も両面テープ４で取れるので、水の浸入も同様に軽減できる。
【００２１】
なお、上述した実施例においては、本発明を電子機器の一態様である携帯電話機に適用した例を示したが、ヒンジ機構を備えた連結体を介して一方筐体と他方筐体とを開閉自在に連結した電子機器、例えば、電子辞書やＰＤＡ(パーソナル・データ・アシスタンス)等、様々な電子機器においても本発明を有効に適用し得ることは言うまでもない。
【図面の簡単な説明】
【００２２】
【図１】(ａ)、(ｂ)および(ｃ)は、従来の携帯電話機を概念的に示す全体正面図、全体側面図および全体背面図。
【図２】(ａ)および(ｂ)は、従来の携帯電話機におけるオープンポジションおよびクローズポジションを示す概念的な外観斜視図。
【図３】従来の携帯電話機におけるオープンポジションでの下筐体の送話部周りを示す概念的な外観斜視図。
【図４】従来の携帯電話機におけるオープンポジションでの下筐体の送話部周りの断面図。
【図５】本発明に関わる電子機器の一実施例である携帯電話機のオープンポジションでの下筐体の送話部周りを示す概念的な外観斜視図。
【図６】本発明に関わる電子機器の一実施例である携帯電話機におけるオープンポジションでの下筐体の送話部周りの断面図。
【図７】(ａ)は、実施例１のクリアランスキーパ及び防水用シートを組み合わせたときの正面図、側面図及び背面図である。（ｂ）は、その展開斜視図である。
【図８】(ａ)は、実施例２のクリアランスキーパ及び防水用シートを組み合わせたときの正面図、側面図及び背面図である。（ｂ）は、その展開斜視図である。
【符号の説明】
【００２３】
１…携帯電話機(電子機器)の下筐体(一方筐体)、
１１…正面、
１２…送話部用孔部
２…マイク
３…クリアランスキーパ
４、５…両面テープ
５…防水用シート
３１、４１、６１…孔部
【図１】
2010081257.tif 000003
【図２】
2010081257.tif 000004
【図３】
2010081257.tif 000005
【図４】
2010081257.tif 000006
【図５】
2010081257.tif 000007
【図６】
2010081257.tif 000008
【図７】
2010081257.tif 000009
【図８】
2010081257.tif 000010